(57)【特許請求の範囲】
【請求項１】
左右の外部材の内面にして該外部材の正面から所定の距離だけ奥まった位置には凹溝が上下方向に延設され、該左右の外部材の間には平板部材が、前記凹溝に該平板部材の左右端部が夫々嵌入された状態で張設され、この平板部材の裏面側にして前記左右の外部材間には受桟が設けられ、この受桟は梁や根太等の横架設骨材を受ける位置に設けられていることを特徴とする家屋構築用のパネル体。
【請求項２】
請求項１記載の家屋構築用のパネル体において、受桟の裏面は、左右の外部材の裏面と面一になるように構成されていることを特徴とする家屋構築用のパネル体。
【請求項３】
請求項１，２いずれか１項に記載の家屋構築用のパネル体において、受桟は左右の外部材と連結されていることを特徴とする家屋構築用のパネル体。
【請求項４】
請求項１，２いずれか１項に記載の家屋構築用のパネル体において、受桟は平板部材と連結されていることを特徴とする家屋構築用のパネル体。
【請求項５】
請求項１〜４いずれか１項に記載の家屋構築用のパネル体の上下長は二階建て以上に設計された家屋の側壁の上下長と同等に設定され、このパネル体を左右に並設して家屋の側壁を形成し、受桟に梁や根太等の横架設骨材を載置固定し、この横架設骨材上に各階の床を形成することを特徴とする家屋の構築方法。
【請求項６】
請求項１〜４いずれか１項に記載の家屋構築用のパネル体の上下長は三階建て，四階建て若しくは五階建てに設計された家屋の側壁の上下長と同等に設定され、このパネル体を左右に並設して家屋の側壁を形成し、受桟に梁や根太等の横架設骨材を載置固定し、この横架設骨材上に各階の床を形成することを特徴とする家屋の構築方法。
【発明の詳細な説明】
【０００１】
【発明の属する技術分野】
本発明は、木造家屋を構築する際などに使用される家屋構築用のパネル体及び家屋の構築方法に関するものである。
【０００２】
【従来の技術及び発明が解決しようとする課題】
従来から、例えば木造家屋を構築する為のパネル体が提案されており、このパネル体を用いた家屋の構築方法も種々提案されている。
【０００３】
ところで、一般的なパネル体の構造は、上下左右に囲繞状態に枠部材を設け、この枠部材の一面に平板部材を付設した構造である。しかし、この構造の場合、パネル体の上下方向の強度，表裏方向の強度及び左右方向の強度が枠部材の強度により略決定されてしまい、例えば、二階建ての家屋を構築する場合には、一階部分と二階部分とに夫々別体のパネル体、即ち、各階に最適な強度を提供するパネル体を採用しなければ、当然のことながら、家屋の強度不足となる。
【０００４】
図１は、この従来のパネル体により構築された家屋の要部の断面図で、符号31は一階部分のパネル体31で、このパネル体31は囲繞状態に配設された枠部材34ａの一面に平板部材35ａが付設され、且つ、上片の枠部材34ａの下面には該上片の枠部材34ａで梁33を支持する為に補強横桟36が付設された構成であり、また、符号32は二階部分のパネル体32で、このパネル体32は囲繞状態に配設された枠部材34ｂの一面に平板部材35ｂが付設された構成である。また、符号37は上下のパネル体31・32間に前記梁33を配設する空間部を形成する為のスペーサ、38は一階部分のパネル体31，二階部分のパネル体32及びスペーサ37に付設される連結板、39は連結板を一階部分のパネル体31，二階部分のパネル体32及びスペーサ37に夫々固定して一体化する為の釘である（以下、従来例という。）。
【０００５】
即ち、一階部分のパネル体31と二階部分のパネル体32とは、強度上の問題から補強横桟36の有無において相違する構成が採用されており、しかも、一階部分のパネル体31と二階部分のパネル体32として別々のパネル体を採用しており、よって、構築作業性が劣るという問題点がある。
【０００６】
更に、この従来例には、次のような問題点もある。
【０００７】
上下のパネル体31・32同志の連結強度に限界がある。即ち、上下のパネル体31・32同志の連結強度は、事実上、連結板38の強度と釘39の連結強度によって決定されるが、連結板38の厚さには制約があり（連結板38が厚いと、その分、連結板38が外壁側に突出し、外壁材の付設に支障をきたす。）、該連結強度の上限には限界がある。
【０００８】
また、多数の部材を配設して夫々を連結する構造の為、作業が厄介で工数が多く、構築コスト高である。
【０００９】
以上から、従来例では、構築作業性，家屋の強度（例えば、耐震強度）及びコストの点で問題があるといわざるを得ない。
【００１０】
本発明は、上記問題点に鑑みて達成されたもので、繰り返した実験の結果、出願人の先願に係る特願平９−３６１１７７号のパネル体が非常に強度が高く、このパネル体によれば、一階部分と二階部分の両方の側壁を同時に形成でき、強度が高く、コスト安の家屋を構築できることを発明したものである。
【００１１】
【課題を解決するための手段】
添付図面を参照して本発明の要旨を説明する。
【００１２】
左右の外部材１の内面１ａにして該外部材１の正面から所定の距離だけ奥まった位置には凹溝２が上下方向に延設され、該左右の外部材１の間には平板部材３が、前記凹溝２に該平板部材３の左右端部が夫々嵌入された状態で張設され、この平板部材３の裏面側にして前記左右の外部材１間には受桟４が設けられ、この受桟４は梁や根太等の横架設骨材５を受ける位置に設けられていることを特徴とする家屋構築用のパネル体に係るものである。
【００１３】
また、請求項１記載の家屋構築用のパネル体において、受桟４の裏面は、左右の外部材１の裏面と面一になるように構成されていることを特徴とする家屋構築用のパネル体に係るものである。
【００１４】
また、請求項１，２いずれか１項に記載の家屋構築用のパネル体において、受桟４は左右の外部材１と連結されていることを特徴とする家屋構築用のパネル体に係るものである。
【００１５】
また、請求項１，２いずれか１項に記載の家屋構築用のパネル体において、受桟４は平板部材３と連結されていることを特徴とする家屋構築用のパネル体に係るものである。
【００１６】
また、請求項１〜４いずれか１項に記載の家屋構築用のパネル体７の上下長は二階建て以上に設計された家屋８の側壁９の上下長と同等に設定され、このパネル体７を左右に並設して家屋８の側壁９を形成し、受桟４に梁や根太等の横架設骨材５を載置固定し、この横架設骨材５上に各階の床を形成することを特徴とする家屋の構築方法に係るものである。
【００１７】
また、請求項１〜４いずれか１項に記載の家屋構築用のパネル体７の上下長は三階建て，四階建て若しくは五階建てに設計された家屋８の側壁９の上下長と同等に設定され、このパネル体７を左右に並設して家屋８の側壁９を形成し、受桟４に梁や根太等の横架設骨材５を載置固定し、この横架設骨材５上に各階の床を形成することを特徴とする家屋の構築方法に係るものである。
【００１８】
【発明の作用及び効果】
左右の外部材１の内面１ａにして該外部材１の正面から所定の距離だけ奥まった位置には凹溝２が上下方向に延設され、該左右の外部材１の間には平板部材３が、前記凹溝２に該平板部材３の左右端部が夫々嵌入された状態で張設されたパネル体７は、繰り返した実験の結果、上下方向の強度，表裏方向の強度及び左右方向の強度が従来例に使用されるパネル体の３乃至５倍もあることが確認された。
【００１９】
従って、例えば、パネル体７の上下長を家屋８の側壁９の上下長と同等に設定し、このパネル体７により家屋８の側壁９を形成し、続いて、平板部材３の裏面側にして前記左右の外部材１間に設けた受桟４に、梁や根太等の横架設骨材５を載置固定することにより、高強度の家屋８を簡単に形成することができる。
【００２０】
本発明は上述のように構成したから、強度が高く、コスト安の家屋をパネル体を用いることで構築することができる。
【００２１】
【発明の実施の形態】
図２〜５は本発明の一実施例を図示したものであり、以下に説明する。
【００２２】
本実施例は、左右の外部材１の内面１ａにして該外部材１の正面から所定の距離だけ奥まった位置には凹溝２が上下方向に延設され、該左右の外部材１の間には平板部材３が、前記凹溝２に該平板部材３の左右端部が夫々嵌入された状態で張設され、この平板部材３の裏面側にして前記左右の外部材１間には受桟４が設けられ、この受桟４は梁や根太等の横架設骨材５を受ける位置に設けられている家屋構築用のパネル体７、及び、該パネル体７を用いた家屋の構築方法に係るものである。
【００２３】
パネル体７の構造について詳述する。
【００２４】
左右の外部材１として一対の木製の角柱部材が採用され、この角柱部材の内面１ａには前記凹溝２が形成されている。
【００２５】
図示したパネル体７は、この凹溝２が角柱部材の巾方向中央位置に設けられた強度の高い構成を採用しているが、例えば、平板部材３の正面側に厚い断熱材を付設する場合には該凹溝２の位置を角柱部材の巾方向中央位置よりも奥側に設定する等、この凹溝２の位置は家屋の設置条件に合わせて適宜設定して良い。
【００２６】
平板部材３は木製の板状部材が採用されている。
【００２７】
前記左右の外部材１に設けられた凹溝２には、この平板部材３の左右端部が夫々嵌入固定されており、全体が平断面視Ｈ型の所謂Ｈ型パネルと呼ばれるパネル体７の基本形に構成されている。
【００２８】
この外部材１と平板部材３との固定には接着剤による固定方法が採用されている。
【００２９】
この点、例えば、外部材１と平板部材３とを釘等の連結金具により固定する方法も考えられるが、この場合、パネル体７の強度（主に左右方向の強度）が大きく低下することが実験（破壊試験）により確認されている。この原因は、連結金具による固定手段であると、連結金具同志の間は全く固定されないことになり、結果的に固定強度にムラが発生するからではないかと考えられる。従って、本実施例では固定強度にムラが発生しない接着剤による固定方法を採用している。
【００３０】
受桟４は、左右の外部材１に接合されている。これは、受桟４には、横架設骨材５に主に作用する上下方向の荷重及び正裏方向の荷重を受けることが要求される為、及び、Ｈ型パネルの強度特性の為である。即ち、Ｈ型パネルは、上下方向の強度及び正裏方向の強度が主に左右の外部材１により発揮され、左右方向の強度が主に平板部材３により発揮されるという特性を有しており、受桟４に作用する上下方向の荷重及び正裏方向の荷重を左右の外部材１に作用させた方が、該受桟４に作用する荷重を良好に支承できるからである。
【００３１】
また、受桟４と左右の外部材１との接合には、釘やボルト等の連結金具６により接合連結する構成が採用されている。尚、受桟４と外部材１との連結方法として、例えば受桟４に凸部を設け、外部材１に凹部を設け、両者を凹凸嵌合させ且つ接着剤で固定する嵌合連結方法を採用しても良い。
【００３２】
また、受桟４と平板部材３とを接合することで、該受桟４とパネル体７との接合強度を高める構成を採用しても良い。
【００３３】
受桟４が平板部材３の裏面から突出する突出長は、左右の外部材１が平板部材３の裏面から突出する突出長と同一長に設定されている。従って、パネル体７を重合状態で保管することが容易に行われ、しかも、家屋８を構築する際、パネル体７の裏面側に突出構造が存在しないから、該パネル体７の裏面側に内壁材を容易に付設することができる。
【００３４】
尚、受桟４に太い小屋梁を固定する場合等においては、受桟４が平板部材３の裏面から突出する突出長を、左右の外部材１が平板部材３の裏面から突出する突出長以上に設定する構成を採用し、受桟４の受け強度を高めても良い。
【００３５】
次に、このパネル体７を用いた家屋８の構築方法について詳述する。
【００３６】
構築しようとする家屋８の側壁９の上下長と同一長のパネル体７を形成する。
【００３７】
続いて、このパネル体７を土台上に立設し、家屋８の周壁９を構築していく。
【００３８】
図示したものは、このパネル体７の左右の外部材１同志を順次接合し、該パネル体７のみによって家屋８の周壁９を構築する方法であるが、土台や柱等の骨材により囲繞された空間部にパネル体７を嵌合せしめ、該パネル体７の左右の外部材１を該骨材に接合することで家屋８の周壁を構築する方法を採用しても良い。
【００３９】
続いて、パネル体７の受桟４に梁や根太等の横架設骨材５を載置し、該横架設骨材５を受桟４に固定する。
【００４０】
この横架設骨材５と受桟４との固定は、釘やボルト等の連結金具６により行うが、前記嵌合連結方法により行っても良い。
【００４１】
続いて、この横架設骨材５を使用して、例えば、二階部分の床を形成し、更に、パネル体７の上部に屋根を形成する。
【００４２】
以上の方法により構築された家屋の強度を実験したところ、五階建ての木造家屋をパネル体７の上下長を家屋８の側壁９の上下長と同一長に設定する方法により構築しても、建築基準で定められた安全強度を十分満足できることが確認された。
【００４３】
本実施例は上述のようにするから、二階建て以上五階建て以下の家屋８の周壁９を該周壁９の上下長と同一長のパネル体７を用いて簡単に構築することができ、しかも、この家屋８の強度が高いことになる実用性，構築性に秀れた家屋の構築方法となる。
【００４４】
また、パネル体７において横架設骨材５を受ける位置に受桟４が設けられているから、二階部分の床や三階部分の床等を簡単に形成することができ、この点においても実用性，構築性に秀れた家屋の構築方法となる。
【００４５】
ところで、外部材の内面にして該外部材の正面及び裏面から所定の距離だけ奥まった位置に平板部材が設けられた所謂Ｈ型パネルは、強度の点でも非常に秀れている。以下、このＨ型パネルの強度実験の結果について説明する。
【００４６】
この強度実験は、富山県林業技術センターに依頼して行った。また、実験方法は、ＪＩＳ  Ａ  １４１４に規定のある面内せん断試験に準じて行った。また、負荷方式は日本式を採用した。
【００４７】
具体的には、土台と、二本の柱と、桁梁とによって囲繞される空間部にパネル体を嵌合止着し、土台を固定し、桁梁には水平方向への荷重を作用せしめる実験を行った。
【００４８】
実験結果を下記表１及び２に示す。
【００４９】
尚、表１は、二本の柱間１７０５mm、土台と桁間２６１０mmの空間部にＨ型パネルを左右四枚並設するか、若しくは、従来のパネル、即ち、上下左右に囲繞状態で配設された枠部材の一側に平板部材を付設し、更に、左右の枠部材の中間に補強桟を一本配設したパネルを左右に二枚並設した場合、表２は、二本の柱間３５３５mm、土台と桁間２７３０mmの空間部にＨ型パネルを左右に六枚並設し、中間の四枚のＨ型パネルの上下中間部分をくり抜いて窓枠を形成した場合である。表中、面材は平板部材を意味する。また、Ｌａｒｉｘが従来のパネルである。
【００５０】
【表１】
0004551031.tif 000002
【表２】
0004551031.tif 000003
以上のように、Ｈ型パネルは従来のパネルに比し非常に強度が秀れていることが確認された。特に壁倍率は、従来のパネルで平板部材として用いたカラマツ構造用合板により非常に強度の劣るＳＰＦ，ＯＳＢ，パーティクルボードを用いたにもかかわらず、４.１〜５.１という極めて秀れた数値となった。ＳＰＦ製の従来のパネルの壁倍率は１.２〜１.５程度であり、故に、本実験によれば、Ｈ型パネルは従来のパネルの３〜５倍という極めて高い強度を有していることが確認された。
【００５１】
ところで、本実施例の別例を二つ説明する。
【００５２】
図５は、上下長の長いパネル体７の形成が厄介な場合に採用するパネル体７の別例で、例えば、外部材１及び平板部材３の上下長を家屋８の側壁９の１／２の上下長に設定して分割パネル体７ａを形成し、二つの分割パネル体７ａを連結して家屋８の側壁９の上下長と同一長のパネル体７を形成するものである。
【００５３】
二つの分割パネル体７ａを連結する構成としては、二つの分割パネル体７ａの外部材１の外縁面に例えば金属製の連結板11を面設し、該連結板11を夫々分割パネル体７ａの外部材１に釘等の連結金具11により連結固定する構成を採用している。この連結構成によれば、連結板11が板材で且つ外部材１の外縁面に設けられているから、外部材１が発揮するパネル体７の上下方向の強度及び正裏方向の強度の低下は可及的に防止される。
【００５４】
また、パネル体７の左右方向の強度が低下することを防止する為、二つの分割パネル体７ａの平板部材３に同様に連結板を面接し、該連結板を夫々分割パネル体７ａの平板部材３に釘等の連結金具により連結固定する構成を採用しても良い。
【００５５】
尚、分割パネル体７ａの上下長を家屋８の側壁９の１／３の上下長等に設定する方法でも同様である。
【００５６】
もう一つの別例は、受桟が設けられていないパネル体（Ｈ型パネルの基本形）により家屋８の側壁９を構築した後、平板部材３の裏面側にして前記左右の外部材１間に受桟４を設けて前記パネル体７を形成し、この受桟４に梁や根太等の横架設骨材５を載置固定するものである。
【００５７】
尚、この場合には、受桟４を外部材１に連結する構成を採用することは困難である為（隣接するパネル体や骨材が邪魔である。）、受桟４を平板部材３に釘やボルト等の連結金具６により連結する構成が採用される。
【００５８】
この別例は、受桟４を外部材１に連結する作業の分、前記本実施例程に簡単には家屋８を構築することはできないが、設計変更等には非常に簡単に対応できることになる。
【図面の簡単な説明】
【図１】従来例の要部の説明断面図である。
【図２】本実施例の説明斜視図である。
【図３】本実施例の説明斜視図である。
【図４】本実施例の要部の説明断面図である。
【図５】本実施例の別例の要部の説明側面図である。
【符号の説明】
１  外部材
１ａ  内面
２  凹溝
３  平板部材
４  受桟
５  横架設部材
７  パネル体
８  家屋
９  側壁
【図１】
0004551031.tif 000004
【図２】
0004551031.tif 000005
【図３】
0004551031.tif 000006
【図４】
0004551031.tif 000007
【図５】
0004551031.tif 000008